(57)【要約】【課題】  作業性の優れた増毛用器具及び増毛用器具を用いた増毛方法の提供。【解決手段】  増毛用器具１は、一端部４と、一端部４と当接可能であって、離間方向Ｄに移動して一端部４と離間することにより髪の毛又は人工毛を離す他端部５と、一端部４と他端部５とが離間方向Ｄに離間するように一端部４と他端部５とを繋ぐ接合部２及び把持部３と、を有する増毛用器具１であって、一端部４には、先端が離間方向Ｄに向けて折り返すように湾曲し、髪の毛又は人工毛を引っ掛け可能な湾曲部６が設けられている。【選択図】図１
2019039108.tif 000002
【特許請求の範囲】
【請求項１】
一端部と、
前記一端部と当接可能であって、前記一端部と当接することにより髪の毛又は人工毛を挟持し、離間方向に移動して前記一端部と離間することにより前記髪の毛又は前記人工毛を離す他端部と、
前記一端部と前記他端部とが前記離間方向に離間するように前記一端部と前記他端部とを繋ぐ接続部と、を有する増毛用器具であって、
前記一端部には、先端が前記離間方向に向けて折り返すように湾曲し、前記髪の毛又は前記人工毛を引っ掛け可能な湾曲部が設けられていることを特徴とする増毛用器具。
【請求項２】
前記湾曲部は、前記髪の毛又は前記人工毛を引っ掛ける円弧形状をなした底部を有し、
前記湾曲部は、前期接続部が伸びる延出方向及び前記離間方向に直交する方向からみてU字形状をなしていることを特徴とする請求項１に記載の増毛用器具。
【請求項３】
前記湾曲部は、前記離間方向から見て、前記他端部と重複していることを特徴とする請求項１または２に記載の増毛用器具。
【請求項４】
前記他端部にも、先端が前記離間方向外側に向けて折り返すように湾曲し前記髪の毛又は前記人工毛を引っ掛け可能な他端側湾曲部が設けられていることを特徴とする請求項１から３のいずれか１項に記載の増毛用器具。
【請求項５】
請求項１から４のいずれか１項に記載の増毛用器具を用いた増毛方法であって、
第１ループが形成された前記人工毛を用意する工程と、
前記第１ループを介して前記一端部及び前記他端部で髪の毛を挟持する工程と、
前記一端部及び前記他端部で前記髪の毛を挟持した状態のまま前記増毛用器具を前記第１ループから離間させることにより前記髪の毛と前記人工毛とによって第２ループを形成する工程と、
前記一端部及び前記他端部を前記離間方向に移動させて挟持した前記髪の毛を離す工程と、
前記第２ループに前記一端部を挿入する工程と、
前記湾曲部で前記髪の毛を引っ掛ける工程と、
前記湾曲部で前記髪の毛を引っ掛けた状態のまま、前記一端部を前記第２ループから離間させることにより前記第２ループに前記髪の毛を通す工程と、
前記髪の毛及び前記人工毛を引っ張ることにより前記第１ループ及び前記第２ループを縮小させて前記人工毛を前記髪の毛に結び付けることを特徴とする増毛方法。
【発明の詳細な説明】
【技術分野】
【０００１】
本発明は、増毛用器具及び増毛用器具を用いた増毛方法に関する。
【背景技術】
【０００２】
従来より、ピンセット形状の増毛用冶具を用いた増毛方法が知られている（例えば、特許文献１）。増毛用冶具は、複数の増毛用毛髪を保持可能な押圧杆が設けられていて、増毛用毛髪を押圧杆からスライドさせることにより、髪の毛に結び付けている。増毛作業では、ピンセットで地毛を狭持して増毛用毛髪を用いてループを作成し、ピンセットで髪の毛を再び狭持して当該ループに髪の毛を通すことにより、増毛用毛髪を髪の毛に結んでいる。
【先行技術文献】
【特許文献】
【０００３】
【特許文献１】特開２００６−１５２４８６号公報
【発明の概要】
【発明が解決しようとする課題】
【０００４】
しかしながら、特許文献１に記載の増毛用具では、地毛でループを作成しピンセットで地毛を挟持してループに通す際、ループに通した状態のままピンセットで地毛を挟持する必要があるため、細かい作業が必要となり作業性が悪かった。特に短い髪の毛を増毛する場合には、髪の毛の弾性によって髪の毛が意図せぬ方向に向いてしまい、ピンセットで挟持し難かった。さらに、実際の増毛作業では、ピンセットで髪の毛を挟持する際に周囲の髪の毛や増毛用毛髪も誤って挟持してしまうことがあった。一般に、１回の増毛作業は数千本という単位で行うため、１回の結び付け作業が手間取ってしまうことにより、作業時間が大幅に延びていた。また、髪の毛をピンセットで挟持するということは、髪の毛の根元とピンセットで髪の毛を挟持している位置との距離が常に一定となってしまうため、ピンセットで髪の毛が引っ張られることにより頭皮に刺激を与える可能性があった。
【０００５】
そこで、本発明は作業性の優れた増毛用器具及び増毛用器具を用いた増毛方法を提供することを目的とする。
【課題を解決するための手段】
【０００６】
上記課題を解決するために本発明は、一端部と、前記一端部と当接可能であって、前記一端部と当接することにより髪の毛又は人工毛を挟持し、離間方向に移動して前記一端部と離間することにより前記髪の毛又は前記人工毛を離す他端部と、前記一端部と前記他端部とが前記離間方向に離間するように前記一端部と前記他端部とを繋ぐ接続部と、を有する増毛用器具であって、前記一端部には、先端が前記離間方向に向けて折り返すように湾曲し、前記髪の毛又は前記人工毛を引っ掛け可能な湾曲部が設けられていることを特徴とする増毛用器具を提供する。
【０００７】
このような構成によると、一端部には離間方向外側に折り返すように湾曲した湾曲部が設けられているため、増毛作業中に湾曲部で髪の毛又は人工毛を引っ掛けることができる。これにより、増毛用器具の一端部と他端部とで髪の毛又は人工毛を挟持する作業に替えて湾曲部で髪の毛又は人工毛を引っ掛ける作業により増毛を行うことができるため、髪の毛の増毛作業の効率化を図ることができる。髪の毛又は人工毛は、直径が約０．０５ｍｍから０．１ｍｍであるためピンセットでも挟み難かったが、本件発明によると湾曲部で引っ掛けることにより増毛作業を行うことができるため増毛作業の時間を短縮することができる。特に、短い髪の毛に対して増毛を行う際に、髪の毛の弾性によって髪の毛が意図せぬ方向に向いたとしても湾曲部で確実に髪の毛を引っ掛けることができる。また、髪の毛を引っ掛けて増毛作業を行うため、髪の毛が引っ張られることがなく、頭皮への刺激を低減することができる。さらに、増毛用器具は一端部と他端部とで髪の毛を挟持することも湾曲部で髪の毛を引っ掛けることも可能であるため、様々な人工毛の結び方に対応することができる。
【０００８】
また、前記湾曲部は、前記髪の毛又は前記人工毛を引っ掛ける円弧形状をなした底部を有し、前記湾曲部は、前期接続部が伸びる延出方向及び前記離間方向に直交する方向からみてU字形状をなしていることが好ましい。
【０００９】
このような構成によると、湾曲部は円弧形状の底部で髪の毛又は人工毛を引っ掛けるため、底部で髪の毛又は人工毛が円滑に滑ることができる。増毛作業では、湾曲部で髪の毛又は人工毛を引っ掛けて、増毛用器具を移動させることにより底部で髪の毛又は人工毛を滑らせることがある。このとき、底部が鋭角であったり角がある場合だと、当該角に髪の毛や人工毛が引っ掛かる可能性があったが、本発明では底部が円弧状であるため髪の毛を滑らせる際の引っ掛かりを防止することができる。また、湾曲部は延出方向及び離間方向に直交する方向から見てＵ字形状をなしているため、増毛用器具を延出方向に移動させることにより髪の毛又は人工毛を引っ掛けることができ、増毛の作業性が向上する。
【００１０】
また、前記湾曲部は、前記離間方向から見て、前記他端部と重複していることが好ましい。
【００１１】
このような構成によると、離間方向から見て湾曲部が他端部と重複しているため、湾曲部が頭皮に直接当たったとしても頭皮への刺激を低減することができる。仮に、離間方向から見て湾曲部が他端部から突出している場合には、当該突出している部分が頭皮に当たって刺激を受ける可能性がある。しかし、離間方向から見て湾曲部が他端部と重複しているため、増毛用器具が頭皮に接触する際には他端部と一端部の湾曲部とが同時に当接することとなり、頭皮への刺激を低減することができる。
【００１２】
また、前記他端部にも、先端が前記離間方向外側に向けて折り返すように湾曲し前記髪の毛又は前記人工毛を引っ掛け可能な他端側湾曲部が設けられていることが好ましい。
【００１３】
このような構成によると、一端部に湾曲部が設けられていて他端部に他端側湾曲部が設けられているため、一端部と他端部との両方で髪の毛又は人工毛を引っ掛けることができる。これにより、更なる作業の効率化及び増毛作業時間の短縮を行うことができる。また、増毛作業を行う者が右利きであっても左利きであってもどちらにも対応することができる。
【００１４】
本発明の別の観点によると、上述の増毛用器具を用いた増毛方法であって、第１ループが形成された前記人工毛を用意する工程と、前記第１ループを介して前記一端部及び前記他端部で髪の毛を挟持する工程と、前記先端部及び前記他端部で前記髪の毛を挟持した状態のまま前記増毛用器具を前記第１ループから離間させることにより前記髪の毛と前記人工毛とによって第２ループを形成する工程と、前記一端部及び前記他端部を前記離間方向に移動させて挟持した前記髪の毛を離す工程と、前記第２ループに前記一端部を挿入する工程と、前記湾曲部で前記髪の毛を引っ掛ける工程と、前記湾曲部で前記髪の毛を引っ掛けた状態のまま、前記一端部を前記第２ループから離間させることにより前記第２ループに前記髪の毛を通す工程と、前記髪の毛及び前記人工毛を引っ張ることにより前記第１ループ及び前記第２ループを縮小させて前記人工毛を前記髪の毛に結び付けることを特徴とする増毛方法を提供している。
【００１５】
このような構成によると、湾曲部で髪の毛を引っ掛けることにより第２ループに髪の毛を通す工程を備えているため、一端部と他端部とで髪の毛を挟持することなく第２ループに髪の毛を通すことができ、増毛作業の時間を短縮することができる。特に、短い髪の毛に対して増毛を行う際に、湾曲部で髪の毛を引っ掛ける工程において髪の毛の弾性によって髪の毛が意図せぬ方向に向いたとしても、湾曲部で確実に髪の毛を引っ掛けることができる。また、髪の毛を引っ掛けて増毛作業を行うため、髪の毛が増毛用器具によって引っ張られることがなく、頭皮への刺激を低減することができる。さらに、増毛用器具は一端部と他端部とで髪の毛を挟持することも湾曲部で髪の毛を引っ掛けることも可能であるため、様々な人工毛の結び方に対応することができる。
【発明の効果】
【００１６】
本発明によれば、作業性の優れた増毛用器具及び増毛用器具を用いた増毛方法を提供することができる。
【図面の簡単な説明】
【００１７】
【図１】本発明の第１の実施の形態による増毛用器具の斜視図及び部分拡大図。
【図２】本発明の第１の実施の形態による増毛用器具の先端部分の平面図。
【図３】本発明の第１の実施の形態による増毛用器具の湾曲部の断面図。
【図４】本発明の第１の実施の形態による増毛用器具の先端部分の（ａ）左側面図、及び（ｂ）右側面図。
【図５】本発明の第１の実施の形態による増毛用器具を用いた増毛方法を説明するための図。
【図６】本発明の第２の実施の形態による増毛用器具の先端部分の平面図。
【発明を実施するための形態】
【００１８】
本発明の第１の実施の形態による増毛用器具を図１乃至図５に基づき説明する。図１乃至図４に示すように、上下前後左右方向を定義する。
【００１９】
増毛用器具１は髪の毛を増毛する際に使用する器具であって、接合部２と、把持部３と、一端部４と、他端部５と、を備えている。増毛用器具１は、接合部２で細長い金属片を重ねて貼り合わせることによる略Ｖ字形状のピンセット形状をなしている。作業者は、把持部３を把持することにより一端部４と他端部５とを当接及び離間させることができる。作業者は、把持部３を押圧することによって一端部４と他端部５とを接触方向（左右方向内方）に移動させて髪の毛又は人工毛を挟持することができ、押圧を解除することによって一端部４と他端部５とを離間方向Ｄ（左右方向外方）に離間させて髪の毛又は人工毛を離すことができる。通常状態では、図１に示すように一端部４と他端部５とが離間した状態である。接合部２と、把持部３と、一端部４と、他端部５と、は同一の素材で一体的に形成されている。接合部２及び把持部３は、上下方向（延出方向）に延びるように形成されている。接合部２及び把持部３は、本発明の接続部に相当する。
【００２０】
図１の拡大図に示すように、把持部３の先端部分である一端部４及び他端部５の下面は、円弧状に湾曲している。これにより、一端部４及び他端部５の下面が頭皮に接触した場合であっても、頭皮への刺激を抑えることができる。一端部４及び他端部５は、先端に向かうにつれて幅が細くなる形状をなしている。
【００２１】
一端部４の先端部には、離間方向Ｄに向けて折り返すように湾曲した湾曲部６が設けられている。ここでいう離間方向Ｄに向けて折り返すとは、一端部４の先端部を図１における左側に折り曲げ、曲げ角度が９０°以下となるように折り返すことをいう。湾曲部６は、湾曲した先端部分に向かうにつれて幅がほそくなっていき、先端にはアールＲが形成されている。図２に示すように、湾曲部６は前後方向から見て略Ｕ字形状をなし、略Ｕ字の直線部分が一端部４となるように形成されている。湾曲部６は、中心が仮想中心Ｃの円弧形状の底部６１を有している。底部６１の仮想中心Ｃは、一端部４の左右方向外方の側面よりも外側であって、底部６１よりも後方に位置している。図３に示すように、湾曲部６の断面は略矩形であって、すべての角に面取りがされている。これにより、頭皮への刺激を低減するとともに、底部６１で髪の毛を滑らせた際に湾曲部６の角に髪の毛が引っ掛かることを防止できる。なお、一端部４及び他端部５についても断面の各角を面取りしてもよい。
【００２２】
一端部４と他端部５の先端の位置は略同一であり、一端部４及び他端部５の左右方向の厚み、前後方向の長さなどは略同一である。つまり、一端部４と他端部５とは、一端部４に湾曲部６が設けられている点以外は略同一である。
【００２３】
図４（ａ）及び（ｂ）に示すように、一端部４及び他端部５は左右方向（離間方向Ｄ）から見て一致している。換言すると、一端部４及び湾曲部６は他端部５と重複し、他端部５の範囲内に収まっている。湾曲部６は、左右方向から見て他端部５から突出していないため、増毛作業中において、一端部４と他端部５と湾曲部６とが同時に頭皮に接触することとなり、頭皮への刺激を低減することができる。
【００２４】
次に、増毛用器具１を用いた増毛方法について図５を参照して説明する。
【００２５】
作業者は、図５（ａ）に示すように、第１ループ２１が形成された人工毛２０を用意し、人工毛２０の第１ループ２１が増毛の対象となる髪の毛１０と重なるように配置し、増毛用器具１の一端部４と他端部５とで第１ループ２１の中にある髪の毛１０を狭持する。つまり、増毛用器具１で第１ループ２１を介して髪の毛１０を狭持する。図５（ｂ）に示すように、増毛用器具１を第１ループ２１から離間させることにより髪の毛１０を第１ループ２１に通して第１ループ２１と髪の毛１０とを絡ませ、第２ループ１１を形成する。図５（ｃ）に示すように、一端部４と他端部５とを離間方向Ｄに離間させて髪の毛１０を離し、一端部４を第２ループ１１に通す。図５（ｄ）乃至図５（ｆ）に示すように、一端部４の湾曲部６で髪の毛１０を引っ掛けた状態のまま、一端部４を第２ループ１１から離間させるように移動させることにより髪の毛１０を第２ループ１１に通す。図５（ｇ）及び図５（ｈ）に示すように、髪の毛１０を完全に第２ループ１１に通したら、髪の毛１０及び人工毛２０を引っ張って第１ループ２１及び第２ループ１１を縮小させて人工毛２０を１０に結び付ける。
【００２６】
このような構成によると、一端部４には離間方向Ｄ外側に折り返すように湾曲した湾曲部６が設けられているため、増毛作業中に湾曲部６で髪の毛１０又は人工毛２０を引っ掛けることができる。これにより、増毛用器具１の一端部４と他端部５とで髪の毛１０又は人工毛２０を挟持する作業に替えて湾曲部６で髪の毛１０又は人工毛２０を引っ掛ける作業により増毛を行うことができるため、髪の毛１０の増毛作業の効率化を図ることができる。髪の毛１０又は人工毛２０は、直径が約０．０５ｍｍから０．１ｍｍであるためピンセットでも挟み難かったが、本件発明によると湾曲部６で引っ掛けることにより増毛作業を行うことができるため増毛作業の時間を短縮することができる。特に、短い髪の毛に対して増毛を行う際に、髪の毛１０の弾性によって髪の毛が意図せぬ方向に向いたとしても湾曲部６で確実に髪の毛１０を引っ掛けることができる。また、髪の毛１０を引っ掛けて増毛作業を行うため、髪の毛１０が引っ張られることがなく、頭皮への刺激を低減することができる。さらに、増毛用器具１は一端部４と他端部５とで髪の毛１０を挟持することも湾曲部６で髪の毛１０を引っ掛けることも可能であるため、様々な人工毛の結び方に対応することができる。
【００２７】
このような構成によると、湾曲部６は円弧形状の底部６１で髪の毛１０又は人工毛２０を引っ掛けるため、底部６１で髪の毛１０又は人工毛２０が円滑に滑ることができる。増毛作業では、湾曲部６で髪の毛１０又は人工毛２０を引っ掛けて、増毛用器具１を移動させることにより底部６１で髪の毛１０又は人工毛２０を滑らせることがある。このとき、底部６１が鋭角であったり角がある場合だと、当該角に髪の毛１０や人工毛２０が引っ掛かる可能性があったが、本発明では底部６１が円弧状であるため髪の毛１０を滑らせる際の引っ掛かりを防止することができる。また、湾曲部６は上下方向及び左右方向に直交する前後方向から見て略Ｕ字形状をなしているため、増毛用器具１を延出方向に移動させることにより髪の毛１０又は人工毛２０を引っ掛けることができ、増毛の作業性が向上する。
【００２８】
このような構成によると、離間方向Ｄから見て湾曲部６が他端部５と重複しているため、湾曲部６が頭皮に直接当たったとしても頭皮への刺激を低減することができる。仮に、離間方向Ｄから見て湾曲部６が他端部５から突出している場合には、当該突出している部分が頭皮に当たって刺激を受ける可能性がある。しかし、離間方向Ｄから見て湾曲部６が他端部５と重複しているため、増毛用器具１が頭皮に接触する際には他端部５と一端部４の湾曲部６とが同時に当接することとなり、頭皮への刺激を低減することができる。
【００２９】
このような構成によると、湾曲部６で髪の毛１０を引っ掛けることにより第２ループ１１に髪の毛１０を通す工程を備えているため、一端部４と他端部５とで髪の毛１０を挟持することなく第２ループ１１に髪の毛１０を通すことができ、増毛作業の時間を短縮することができる。特に、短い髪の毛に対して増毛を行う際に、湾曲部６で髪の毛１０を引っ掛ける工程において髪の毛１０の弾性によって髪の毛１０が意図せぬ方向に向いたとしても、湾曲部６で確実に髪の毛１０を引っ掛けることができる。また、髪の毛１０を引っ掛けて増毛作業を行うため、髪の毛１０が増毛用器具１によって引っ張られることがなく、頭皮への刺激を低減することができる。さらに、増毛用器具１は一端部４と他端部５とで髪の毛１０を挟持することも湾曲部６で髪の毛１０を引っ掛けることも可能であるため、様々な人工毛の結び方に対応することができる。
【００３０】
次に、本発明の第２の実施の形態について、図６を参照しながら説明する。第１の実施の形態と同一の構成については、同一の符号を付し説明を省略する。
【００３１】
第２の実施の形態による増毛用器具２０１では、増毛用器具１と異なり他端部５にも他端側湾曲部２０６が形成されている。他端側湾曲部２０６は、離間方向Ｄに向けて折り返すように湾曲しており、略Ｕ字形状をなしている。他端側湾曲部２０６は、略Ｕ字の直線部分が一端部４となるように形成されていて、中心が仮想中心Ｃの円弧形状の底部２６１を有している。底部２６１の仮想中心Ｃは、一端部４の左右方向外方の側面よりも外側であって、底部６１よりも後方に位置している。
【００３２】
第１の実施の形態の増毛用器具１と同様に、一端部４及び他端部５は左右方向（離間方向Ｄ）から見て一致している。換言すると、一端部４及び湾曲部６は他端部５と重複し、他端部５の範囲内に収まっている。つまり、湾曲部６及び他端側湾曲部２０６は左右方向から見て他端部５から突出していない。これにより、増毛作業中においては一端部４と他端部５と湾曲部６又は他端側湾曲部２０６とが同時に頭皮に接触することとなるため、頭皮への刺激を低減することができる。
【００３３】
このような構成によると、一端部４に湾曲部６が設けられていて他端部５に他端側湾曲部２０６が設けられているため、一端部４と他端部５との両方で髪の毛１０又は人工毛２０を引っ掛けることができる。これにより、更なる作業の効率化及び増毛作業時間の短縮を行うことができる。また、増毛作業を行う者が右利きであっても左利きであってもどちらにも対応することができる。
【００３４】
本発明による増毛用器具及び増毛器具を用いた増毛方法は、上述した実施の形態に限定されず、特許請求の範囲に記載された発明の要旨の範囲内で種々の変更が可能である。
【００３５】
第１の実施の形態では、一端部４に湾曲部６が設けられていたが、他端部５にのみ湾曲部６を設けてもよい。これにより、左利きの人に適した増毛用器具を提供することができる。
【００３６】
上述の実施の形態では、一端部４を湾曲させることにより湾曲部６を形成したがこれに限定されない。例えば、湾曲部６を一端部４に対して着脱可能に設けてもよい。これにより、湾曲部６が必要なときのみ湾曲部６を一端部４に装着することができる。
【符号の説明】
【００３７】
１、２０１      増毛用器具
２      接合部
３      把持部
４      一端部
５      他端部
６、２０６      湾曲部
６１、２６１    底部
【図１】
2019039108.tif 000003
【図２】
2019039108.tif 000004
【図３】
2019039108.tif 000005
【図４】
2019039108.tif 000006
【図５】
2019039108.tif 000007
【図６】
2019039108.tif 000008